(57)【特許請求の範囲】
【請求項１】
頭頂部の押し込みにより内容物を吐出する液体入りの容器を載置し、上下方向に移動する棚板と、
前記棚板を挿通する複数の支柱と、
前記容器の頭頂部と接する頭頂保持部材と、
足踏み操作を受け付けるペダルと、
前記ペダルの受ける力を前記棚板に伝達する伝達部材と、
前記伝達部材と前記棚板とを接続する接続部材であって、前記棚板の設置高さを変更可能な前記接続部材と、を有し、
前記ペダルへの足踏み操作により前記棚板が前記複数の支柱に沿って上昇し、前記頭頂保持部材の前記頭頂部の保持により前記頭頂部が押し込まれ、前記容器の内容物が吐出し、
前記接続部材は、前記伝達部材に軸支され、回動により異なる面を前記棚板に接続可能であることを特徴とする、足踏み式吐出装置。
【請求項２】
請求項１に記載の足踏み式吐出装置であって、
前記接続部材は、略直方体形状であって、長手方向を含む第１の面を前記棚板に接続する第１の状態と、前記第１の面を除く第２の面を前記棚板に接続する第２の状態と、に変更可能であることを特徴とする、足踏み式吐出装置。
【請求項３】
請求項２に記載の足踏み式吐出装置であって、
前記第１の状態と前記第２の状態とでは、前記棚板の設置高さが異なり、
前記第１の面及び前記第２の面の各々に対向する面に、前記伝達部材を挟持するスリットを有することを特徴とする、足踏み式吐出装置。
【請求項４】
請求項１から３のいずれか一項に記載の足踏み式吐出装置であって、
前記容器の首部分が挿通することにより前記容器を係止する係止部材であって、前記棚板の上部に位置し、前記支柱が挿通する複数の貫通孔を有し、前記複数の支柱に沿って昇降可能である前記係止部材を有することを特徴とする、足踏み式吐出装置。
【請求項５】
頭頂部の押し込みにより内容物を吐出する液体入りの容器を載置し、上下方向に移動する棚板と、
前記棚板を挿通する複数の支柱と、
前記容器の頭頂部と接する頭頂保持部材と、
足踏み操作を受け付けるペダルと、
前記ペダルの受ける力を前記棚板に伝達する伝達部材と、
前記伝達部材と前記棚板とを接続する接続部材であって、前記棚板の設置高さを変更可能な前記接続部材と、を有し、
前記ペダルへの足踏み操作により前記棚板が前記複数の支柱に沿って上昇し、前記頭頂保持部材の前記頭頂部の保持により前記頭頂部が押し込まれ、前記容器の内容物が吐出し、
前記容器の首部分が挿通することにより前記容器を係止する係止部材であって、前記棚板の上部に位置し、前記支柱が挿通する複数の貫通孔を有し、前記複数の支柱に沿って昇降可能である前記係止部材を有することを特徴とする、足踏み式吐出装置。
【発明の詳細な説明】
【技術分野】
【０００１】
本発明は、足踏み式吐出装置に関する。
【背景技術】
【０００２】
消毒剤等の入ったディスペンサーから内容物を吐出させる際に、手を使わずに吐出させる足踏み式の載置台が存在する。足踏みペダルを踏むと、部材が下降してディスペンサーの頭頂部を押圧する載置台は、頭頂部の下降に伴い液体が吐出するノズルも下降し、噴霧する液体が受け取りにくいという欠点がある。
【０００３】
特許文献１には、消毒装置に関する技術が開示されている。同文献の段落［００１３］には、「消毒装置は、縦長状の台座部１と、台座部１上に配設して消毒液ボトル１０を載置するための置き台２と、台座部１と連結するカバー部３と、台座部１の下部に配置する足踏みペダル部４と、動作変換機構とを備える。」と記載され、段落［００１４］には、「消毒装置の使用前の状態において、足踏みペダル部４を踏み込むと、図１（ｂ）に示すように、足踏みペダル部４の他端上に当接しているパイプ等の棒状体５が上昇し、置き台２を押し上げることができる。」と記載されている。
【先行技術文献】
【特許文献】
【０００４】
【特許文献１】特開２０１５−１００４５４号公報
【発明の概要】
【発明が解決しようとする課題】
【０００５】
公共の場所に設置される可能性のある吐出装置は、安定した状態で設置されることが望ましい。また、吐出装置を使用する者の身長によって、使用しやすい高さが異なるため、高さが調整可能であることが望ましい。
【０００６】
特許文献１に開示された消毒装置は、置き台の高さ位置が変更可能であるものの、台座部を構成する支柱の内部に棒状体を挿通させ、棒状体を昇降させる構造であるため、棒状体の昇降に伴い、台座部がぐらつく可能性がある。
【０００７】
本発明は、上記の問題を鑑みてなされたものであり、安定した状態で設置され、適切な使用位置で使用することのできる足踏み式吐出装置を提供することを目的とする。
【課題を解決するための手段】
【０００８】
上記の課題を解決する本発明の一態様は、足踏み式吐出装置であって、頭頂部の押し込みにより内容物を吐出する液体入りの容器を載置し、上下方向に移動する棚板と、前記棚板を挿通する複数の支柱と、前記容器の頭頂部と接する頭頂保持部材と、足踏み操作を受け付けるペダルと、前記ペダルの受ける力を前記棚板に伝達する伝達部材と、前記伝達部材と前記棚板とを接続する接続部材であって、前記棚板の設置高さを変更可能な前記接続部材と、を有し、前記ペダルへの足踏み操作により前記棚板が前記複数の支柱に沿って上昇し、前記頭頂保持部材の前記頭頂部の保持により前記頭頂部が押し込まれ、前記容器の内容物が吐出することを特徴とする。
【０００９】
前記接続部材は、前記伝達部材に軸支され、回動により異なる面を前記棚板に接続可能であることを特徴としてもよい。
【００１０】
前記接続部材は、略直方体形状であって、長手方向を含む第１の面を前記棚板に接続する第１の状態と、前記第１の面を除く第２の面を前記棚板に接続する第２の状態と、に変更可能であることを特徴としてもよい。
【００１１】
前記足踏み式吐出装置において、前記第１の状態と前記第２の状態とでは、前記棚板の設置高さが異なり、前記第１の面及び前記第２の面の各々に対向する面に、前記伝達部材を挟持するスリットを有することを特徴としてもよい。
【００１２】
前記足踏み式吐出装置は、前記容器の首部分が挿通することにより前記容器を係止する係止部材であって、前記棚板の上部に位置し、前記支柱が挿通する複数の貫通孔を有し、前記複数の支柱に沿って昇降可能である前記係止部材を有することを特徴としてもよい。
【発明の効果】
【００１３】
本発明の一態様によれば、安定した状態で設置され、適切な使用位置で使用される足踏み式吐出装置を提供することができる。
【図面の簡単な説明】
【００１４】
【図１】本実施形態における足踏み式吐出装置の外観の一例を示す図である。
【図２】本実施形態における足踏み式吐出装置の正面図の例である。図２（Ａ）は、第１の状態における足踏み式吐出装置の正面図の一例であり、図２（Ｂ）は、第２の状態における足踏み式吐出装置の正面図の一例である。
【図３】本実施形態における足踏み式吐出装置の側面図の例である。
【図４】本実施形態における接続部材の外観の一例を示す図である。図４（Ａ）は、接続部材の斜視図の例（その１）であり、図４（Ｂ）は、接続部材の斜視図の例（その２）である。
【図５】本実施形態における接続部材の六面図の例である。図５（Ａ）は、接続部材の平面図であって、図５（Ｂ）は、接続部材の左側面図であって、図５（Ｃ）は、接続部材の正面図であって、図５（Ｄ）は、接続部材の右側面図であって、図５（Ｅ）は、接続部材の底面図であって、図５（Ｆ）は、接続部材の背面図である。
【図６】本実施形態における状態の変更を説明するための図である。図６（Ａ）は、第１の状態における接続部材の外観の一例であり、図６（Ｂ）は、第２の状態における接続部材の外観の一例である。
【図７】本実施形態における棚板１１と係止部材１７の外観の一例を示す図である。図７（Ａ）は、棚板１１及び係止部材１７の外観の一例であり、図７（Ｂ）は、棚板１１の外観の一例であり、図７（Ｃ）は、係止部材１７の外観の一例である。
【発明を実施するための形態】
【００１５】
以下、図面に基づいて本発明の実施の形態を説明する。
【００１６】
なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００１７】
また、本明細書において、「略」を付した用語は、当業者の技術常識の範囲内でその「略」を除いた用語の意味を示すものであり、「略」を除いた意味自体をも含むものとする。そして、その逆も同様である。例えば、「直方体」という用語は、「略」を付していないが、発明の要旨に反しない限りにおいて、「略直方体」の意味も当然に包含する。
【００１８】
図１は、本実施形態における足踏み式吐出装置１の外観の一例を示す図である。足踏み式吐出装置１は、消毒剤等の液体の容器Ｐを載置し、ペダルを足で操作することにより容器Ｐの内容物を吐出させ、手で受けるための装置である。以下、足踏み式吐出装置１に消毒剤を載置し、消毒剤を吐出させる例を用いて説明する。なお、足踏み式吐出装置１において、吐出させる内容物は消毒剤に限定されない。
【００１９】
病原菌の体内への侵入を予防するために、手指を消毒するための消毒剤が用いられる。一般的に、消毒剤の入った容器は、頭頂部を押し込むことにより内容物がノズルから吐出する。容器の頭頂部を手で操作すると、手に付着していた病原菌が頭頂部に付着する可能性があり、衛生的でない。本実施形態における足踏み式吐出装置１は、足で操作することにより消毒剤を容器Ｐのノズルから吐出することができるため、頭頂部を手で操作する必要がなく、衛生的である。
【００２０】
足踏み式吐出装置１は、棚板１１と、支柱１２と、伝達部材１３と、基部１４と、ペダル１５と、頭頂保持部材１６と、係止部材１７と、頭部カバー１８と、後述する接続部材１０とを有する。
【００２１】
棚板１１は、消毒剤の入った容器Ｐを載置する台であって、支柱１２に沿って上下方向に移動する。棚板１１は、支柱１２が挿通する複数の貫通孔を有する。支柱１２は、棚板１１と、係止部材１７とを上下方向に導く柱である。本実施形態における足踏み式吐出装置１は、複数の支柱１２を有する。例えば支柱１２は２本である。支柱１２を複数有することで、加重が分散するため、足踏み式吐出装置１を安定して設置することができる。
【００２２】
伝達部材１３は、ペダル１５の受ける力を棚板１１に伝達する部材である。本実施形態において、伝達部材１３は、後述の接続部材１０を介して棚板１１に荷重を伝達するロッドである。伝達部材１３による荷重の伝達により、棚板１１が昇降移動する。
【００２３】
基部１４は、支柱１２の各々の下部を固定する。また、基部１４は、ペダル１５の回転軸を固定する。
【００２４】
ペダル１５は、使用者による足踏み操作を受け付ける部材である。使用者がペダル１５を踏みこむことにより、ペダル１５の一端近傍が下方向への加重を受け付けると、ペダル１５は回転軸を支点として回動することによりシーソー運動し、ペダル１５の他端近傍が上方向に移動する。すると、当該他端近傍に接続された伝達部材１３が上昇して棚板１１を上昇させる。
【００２５】
頭頂保持部材１６は、容器Ｐの頭頂部と接する部材である。例えば頭頂保持部材１６は、支柱１２の上部を覆う頭部カバー１８に取り付けられ、ネジ等により上下方向に移動可能である。頭頂保持部材１６は、容器Ｐのサイズに合わせて上下方向の位置が調整される。
【００２６】
係止部材１７は、容器Ｐの首部分が挿通することにより容器Ｐを係止する部材である。係止部材１７は、棚板１１の上部に位置し、支柱１２が挿通する複数の貫通孔と、容器Ｐの首部が挿通する貫通孔１７１（後に詳述）とを有する。係止部材１７は、支柱１２に沿って昇降可能である。頭部カバー１８は、各支柱１２の上部を覆うカバーであって、頭頂保持部材１６が容器Ｐの頭頂部に接した状態を保つ。
【００２７】
本実施形態における足踏み式吐出装置１は、使用者によるペダル１５への加重を受け付けた使用状態と、使用状態以外の待機状態とに状態が変化する。待機状態では棚板１１は使用状態より低い位置にあり、容器Ｐから消毒剤は吐出されない。
【００２８】
使用者がペダル１５を踏みこむと、ペダル１５が回転軸周りに回動し、ペダル１５に接続された伝達部材１３が荷重を棚板１１に伝達し、棚板１１が支柱１２に沿って上昇する。棚板１１に載置された容器Ｐが棚板１１に伴って上昇すると、容器Ｐの頭頂部が頭頂保持部材１６に保持されるため、頭頂部は容器Ｐの本体方向に押し込まれ、ノズルから容器Ｐの内容物である消毒剤が吐出する。
【００２９】
使用者がペダル１５から足を外すと、棚板１１及び伝達部材１３が自重により下方向に移動し、伝達部材１３に接続されたペダル１５の一端が下降する。ペダル１５の一端の下降に伴い、ペダル１５が回転軸周りにシーソー運動し、他端が上昇する。なお、ペダル１５の回転軸には、待機状態において棚板１１が下降した状態を保つため、ペダル１５の使用者側の一端が上昇した状態を保つよう付勢する付勢部材が設けられていてもよい。
【００３０】
図２は、本実施形態における足踏み式吐出装置１の正面図の例である。図２（Ａ）は、第１の状態における足踏み式吐出装置１の正面図の一例であり、図２（Ｂ）は、第２の状態における足踏み式吐出装置１の正面図の一例である。図２（Ａ）及び図２（Ｂ）に示す足踏み式吐出装置１は、いずれも待機状態にある。
【００３１】
本実施形態における足踏み式吐出装置１は、第１の状態と、第２の状態とに変更することができる。第１の状態と、第２の状態とでは、棚板１１の位置が異なっており、第２の状態の方が第１の状態よりも棚板１１が高い位置に設置される。即ち、待機状態においても第２の状態の方が第１の状態よりも棚板１１の位置が高く、使用状態においても第２の状態の方が第１の状態よりも棚板１１の位置が高い。
【００３２】
足踏み式吐出装置１は、接続部材１０を有する。接続部材１０は、伝達部材１３と棚板１１とを接続する部材であって、接続部材１０を用いることにより、棚板１１の設置高さを変更することができる。
【００３３】
図３は、本実施形態における足踏み式吐出装置１の側面図の例である。本図における足踏み式吐出装置１は待機状態にあり、基部１４に軸支されたペダル１５の一端近傍が荷重を受け付けると、他端近傍に接続された伝達部材１３が上昇し、接続部材１０を介して棚板１１を押し上げる。
【００３４】
付言すれば、接続部材１０は、棚板１１下面において、各支柱１２を結ぶ図形の重心近傍に接続されることが望ましい。即ち、支柱１２が２本である場合、接続部材１０は、棚板１１下面において、各支柱１２を結ぶ直線の中央近傍に接続されることが望ましい。待機状態から使用状態への遷移の際、支柱１２を結ぶ図形の重心近傍から棚板１１を押し上げることで、棚板１１が水平状態を保ったままスムーズに上昇する。
【００３５】
なお、図２及び図３には容器Ｐが記載されていないが、便宜上、係止部材１７が棚板１１の上部に記載されている。係止部材１７は容器Ｐの首部分に係止される部材であるため、容器Ｐがない状態では、係止部材１７は棚板１１に載った状態となる。
【００３６】
図４は、本実施形態における接続部材１０の外観の一例を示す図である。図４（Ａ）は、接続部材１０の斜視図の例（その１）であり、図４（Ｂ）は、接続部材１０の斜視図の例（その２）である。図４（Ａ）及び図４（Ｂ）には同じ接続部材１０が記載されている。
【００３７】
接続部材１０は、略直方体形状であって、異なる面を棚板１１に接続することで、第１の状態と、第２の状態とに変更可能である。接続部材１０は、帯部１０１と、貫通孔１０２・１０３・１０５と、伝達部材支持部１０４とを有する。
【００３８】
帯部１０１は、接続部材１０の長手方向を含む面である第１の面に形成され、貫通孔１０５を有する。換言すれば、帯部１０１は、接続部材１０の対向する２つの長辺に渡って設けられる部分である。第１の状態の際、帯部１０１は棚板１１の下面に接続される。
【００３９】
貫通孔１０２は、第１の面及び後述の第２の面に隣接する、対向する２面に設けられる一組の孔である。貫通孔１０２には、回転軸が挿通する。当該回転軸は、伝達部材１３の上端近傍に設けられる。即ち、伝達部材１３と接続部材１０とは、回転軸を介して接続される。
【００４０】
貫通孔１０３は、接続部材１０の有する面のうち、第１の面を除く第２の面に設けられる。第２の面は、接続部材１０の長手方向を含まない面である。第２の面が棚板１１の下面と接続される際、足踏み式吐出装置１は第２の状態にある。貫通孔１０３には、第２の状態の際に棚板１１と接続するためのビスが挿通される。本実施形態における貫通孔１０３は、第２の面において一組設けられているが、貫通孔１０３の数は限定されない。
【００４１】
伝達部材支持部１０４は、第１の面に対向する面に設けられ、第１の状態において伝達部材１３を支持する。接続部材１０は、第１の状態と第２の状態との遷移の際に接続部材１０が通過するスリットＳ１・Ｓ２を有する。スリットＳ１とスリットＳ２は連続している。スリットＳ１は第１の面に対向する面に設けられ、スリットＳ２は第２の面に対向する面に設けられる。伝達部材支持部１０４は、スリットＳ１の両側に位置する部分である。
【００４２】
貫通孔１０５は、帯部１０１に設けられる孔である。貫通孔１０５には、第１の状態の際に棚板１１と接続するためのビスが挿通される。本実施形態における貫通孔１０５は、帯部１０１において一組設けられているが、貫通孔１０５の数は限定されない。
【００４３】
図５は、本実施形態における接続部材１０の六面図の例である。図５（Ａ）は、接続部材１０の平面図であって、図５（Ｂ）は、接続部材１０の左側面図であって、図５（Ｃ）は、接続部材１０の正面図であって、図５（Ｄ）は、接続部材１０の右側面図であって、図５（Ｅ）は、接続部材１０の底面図であって、図５（Ｆ）は、接続部材１０の背面図である。なお、第１の状態において、例えば接続部材１０の左側面が使用者に向かい合う。また、第２の状態において、例えば接続部材１０の正面が使用者に向かい合う。
【００４４】
図５（Ｃ）には、第１の状態の際に棚板１１に接続する第１の面から見た接続部材１０が示されている。図５（Ｆ）には、第１の面に対向する面に設けられたスリットＳ１が示されている。スリットＳ１は、第１の状態において伝達部材１３を挟持する。
【００４５】
図５（Ｄ）には、第２の状態の際に棚板１１に接続する第２の面から見た接続部材１０が示されている。図５（Ｂ）には、第２の面に対向する面に設けられたスリットＳ２が示されている。スリットＳ２は、第２の状態において伝達部材１３を挟持する。
【００４６】
図６は、本実施形態における状態の変更を説明するための図である。図６（Ａ）は、第１の状態における接続部材１０の外観の一例であり、図６（Ｂ）は、第２の状態における接続部材１０の外観の一例である。
【００４７】
接続部材１０は、貫通孔１０２を挿通するシャフト１９により伝達部材１３に軸支され、棚板１１に接続されていない状態において回動自在である。接続部材１０は、回動により異なる面を棚板１１の下面に接続可能である。
【００４８】
図６（Ａ）において、第１の状態における接続部材１０は、貫通孔１０５に挿通されるビスにより、第１の面が棚板１１の下面に接続されている。第１の状態において、伝達部材１３はスリットＳ１に挟持される。
【００４９】
図６（Ｂ）において、第２の状態における接続部材１０は、貫通孔１０３に挿通されるビスにより、第２の面が棚板１１の下面に接続されている。第２の状態において、伝達部材１３はスリットＳ２に挟持される。
【００５０】
接続部材１０と棚板１１との接続を取り外し、接続部材１０を回動させ、異なる面を棚板１１に接続することにより、容易に棚板の設置高さを変更することができる。接続部材１０が伝達部材１３に軸支されているため、接続部材１０と伝達部材１３が分離移動してしまう心配がない。また、接続部材１０を回動させて、第１の状態及び第２の状態の相互の変更が可能であるため、棚板１１の設置高さを変更するために、接続部材１０のどの部分を棚板１１と接続させるかを容易に判断することができ、利便性が高い。
【００５１】
ペダル１５が操作され、待機状態から使用状態に変化する際に、伝達部材１３が横方向に揺れ動くと、棚板１１が水平状態を保つことができず、容器Ｐの位置が安定しない。また、複数の支柱１２に沿って棚板１１が上下移動する場合に、棚板１１の水平状態が損なわれると、棚板１１の円滑な上下移動が阻害され、消毒液の吐出に影響を及ぼす。本実施形態における接続部材１０は、棚板１１の設置高さを変更可能にすることに加え、スリットＳ１及びスリットＳ２が伝達部材１３を挟持することにより、伝達部材１３の横ブレを防ぎ、棚板１１を安定して昇降させることができる。
【００５２】
なお、伝達部材１３の形状は限定されないが、例えば断面が矩形である角柱であってもよい。スリットＳ１・Ｓ２に角柱の対向する２面が接するよう構成することにより、安定して伝達部材１３を挟持することができ、より適切に伝達部材１３の横ブレを防止することができる。
【００５３】
図７は、本実施形態における棚板１１と係止部材１７の外観の一例を示す図である。図７（Ａ）は、棚板１１及び係止部材１７の外観の一例であり、図７（Ｂ）は、棚板１１の外観の一例であり、図７（Ｃ）は、係止部材１７の外観の一例である。図７（Ａ）に示す係止部材１７は、図２及び図３と同様に、便宜上棚板１１と頭部カバー１８との間に位置するよう記載されているが、容器Ｐがない状態の係止部材１７は、棚板１１に載った状態となる。
【００５４】
図７（Ｂ）に示すように、棚板１１は支柱１２の数の貫通孔を有し、貫通孔には支柱１２が挿通される。本図に記載される棚板１１は、使用者や通行人等の身体が触れた場合に怪我をしないよう、縁に丸みを持たせて形成されている。
【００５５】
図７（Ｃ）に示すように、係止部材１７は、容器Ｐの首部分に貫通孔１７１を有するほか、支柱１２の数の貫通孔を有する。中央の貫通孔１７１には、容器Ｐの首部分が挿通され、その他の貫通孔に支柱１２が挿通される。
【００５６】
容器Ｐを足踏み式吐出装置１に設置する際、設置する者は、係止部材１７を支柱１２に沿って持ち上げ、棚板１１に容器Ｐを載置する。その後係止部材１７を下げ、貫通孔１７１に容器Ｐの首部分を挿通させる。また、頭頂保持部材１６を調整し、容器Ｐの頭頂部に頭頂保持部材１６が接する位置に設定する。容器Ｐの交換の際は、設置とは逆の手順で容器Ｐを足踏み式吐出装置１から取り外す。
【００５７】
即ち、容器Ｐを足踏み式吐出装置１から取り外す際、頭頂保持部材１６が容器Ｐの頭頂部と接しないよう調整し、係止部材１７を持ち上げて容器Ｐの首部分から取り外す。係止部材１７がない状態に比べ、容器Ｐの取り外しに手順を要するため、容器Ｐの盗難防止に寄与する。
【００５８】
本実施形態の係止部材１７によれば、容器Ｐが棚板１１上でずれることを防ぐと共に、容器Ｐの盗難を防ぐことができる。
【００５９】
以上、本発明に係る各実施形態及び変形例の説明を行ってきたが、本発明は、上記した実施形態の一例に限定されるものではなく、様々な変形例が含まれる。例えば、上記した実施形態の一例は、本発明を分かり易くするために詳細に説明したものであり、本発明は、ここで説明した全ての構成を備えるものに限定されない。また、ある実施形態の一例の構成の一部を他の一例の構成に置き換えることが可能である。また、ある実施形態の一例の構成に他の一例の構成を加えることも可能である。また、各実施形態の一例の構成の一部について、他の構成の追加・削除・置換をすることもできる。
【符号の説明】
【００６０】
１：足踏み式吐出装置、１０：接続部材、１１：棚板、１２：支柱、１３：伝達部材、１４：基部、１５：ペダル、１６：頭頂保持部材、１７：係止部材、１８：頭部カバー、１０１：帯部、１０２・１０３・１０５・１７１：貫通孔、１０４：伝達部材支持部、Ｐ：容器、Ｓ１・Ｓ２：スリット
【要約】
【課題】安定した状態で設置され、適切な使用位置で使用することのできる足踏み式吐出装置を提供することを目的とする。
【解決手段】足踏み式吐出装置であって、頭頂部の押し込みにより内容物を吐出する液体入りの容器を載置し、上下方向に移動する棚板と、前記棚板を挿通する複数の支柱と、前記容器の頭頂部と接する頭頂保持部材と、足踏み操作を受け付けるペダルと、前記ペダルの受ける力を前記棚板に伝達する伝達部材と、前記伝達部材と前記棚板とを接続する接続部材であって、前記棚板の設置高さを変更可能な前記接続部材と、を有し、前記ペダルへの足踏み操作により前記棚板が前記複数の支柱に沿って上昇し、前記頭頂保持部材の前記頭頂部の保持により前記頭頂部が押し込まれ、前記容器の内容物が吐出することを特徴とする。
【選択図】図１【図１】
0006875772.tif 000002
【図２】
0006875772.tif 000003
【図３】
0006875772.tif 000004
【図４】
0006875772.tif 000005
【図５】
0006875772.tif 000006
【図６】
0006875772.tif 000007
【図７】
0006875772.tif 000008